【手続補正書】
【提出日】平成19年5月9日(2007.5.9)
【手続補正１】
【補正対象書類名】明細書
【補正対象項目名】特許請求の範囲
【補正方法】変更
【補正の内容】
【特許請求の範囲】
【請求項１】
被写体までの距離を検出する被写体距離検出手段と、
光学系のズーム値を検出するズーム値検出手段と、
被写体の明度を検出する被写体明度検出手段と、
該光学系を介した撮像素子の出力信号から生成された色信号に基づいて被写体像の無彩色部分を検出し、該無彩色部分から検出したホワイトバランスのずれ量に応じて該色信号の利得を制御するホワイトバランス制御手段と
を備え、
被写体距離検出情報が固定されている場合において、
被写体明度情報が第１の値であるとき、ズーム値情報が変化すると、第１の境界値を境にホワイトバランスの調整の有無が切り替わり、かつ、
該被写体明度情報が第１の値とは異なる第２の値であるとき、該ズーム値情報が変化すると、該第１の境界値とは異なる該第２の境界値を境に、ホワイトバランスの調整の有無が切り替わる
ことを特徴とする撮像装置。
【請求項２】
請求項１記載の撮像装置において、
前記被写体明度情報が前記第１の値であるとき、前記ズーム値情報が前記第１の境界値以上のときには、ホワイトバランスの調整をせず、前記第１の境界値未満のときには、ホワイトバランスの調整をするように制御し、
前記被写体明度情報が前記第２の値であるとき、前記ズーム値情報が前記第２の境界値以上のときには、ホワイトバランスの調整をせず、前記第２の境界値未満のときには、ホワイトバランスの調整をするように制御する
ことを特徴とする撮像装置。
【請求項３】
被写体までの距離を検出する被写体距離検出手段と、
光学系のズーム値を検出するズーム値検出手段と、
被写体の明度を検出する被写体明度検出手段と、
該光学系を介した撮像素子の出力信号から生成された色信号に基づいて被写体像の無彩色部分を検出し、該無彩色部分から検出したホワイトバランスのずれ量に応じて該色信号の利得を制御するホワイトバランス制御手段と
を備え、
被写体距離検出情報が固定されている場合において、
ズーム値情報が第１の値であるとき、被写体明度情報が変化すると、第１の境界値を境にホワイトバランスの調整の有無が切り替わり、かつ、
該ズーム値情報が第１の値とは異なる第２の値であるとき、該被写体明度情報が変化すると、該第１の境界値とは異なる該第２の境界値を境に、ホワイトバランスの調整の有無が切り替わる
ことを特徴とする撮像装置。
【請求項４】
請求項３記載の撮像装置において、
前記ズーム値情報が前記第１の値であるとき、前記被写体明度情報が前記第１の境界値より大きいときには、ホワイトバランスの調整をし、前記第１の境界値以下のときには、ホワイトバランスの調整をしないように制御し、
前記ズーム値情報が前記第２の値であるとき、前記被写体明度情報が前記第２の境界値よりも大きいときには、ホワイトバランスの調整をし、前記第２の境界値以下のときには、ホワイトバランスの調整をしないように制御する
ことを特徴とする撮像装置。
【請求項５】
被写体までの距離を検出する被写体距離検出手段と、
光学系のズーム値を検出するズーム値検出手段と、
被写体の明度を検出する被写体明度検出手段と、
該光学系を介した撮像素子の出力信号から生成された色信号に基づいて被写体像の無彩色部分を検出し、該無彩色部分から検出したホワイトバランスのずれ量に応じて該色信号の利得を制御するホワイトバランス制御手段と
を備え、
ズーム値情報が固定されている場合において、
被写体距離検出情報が第１の値であるとき、被写体明度情報が変化すると、第１の境界値を境にホワイトバランスの調整の有無が切り替わり、かつ、
該被写体距離検出情報が第１の値とは異なる第２の値であるとき、該被写体明度情報が変化すると、該第１の境界値とは異なる該第２の境界値を境に、ホワイトバランスの調整の有無が切り替わる
ことを特徴とする撮像装置。
【請求項６】
請求項５記載の撮像装置において、
前記被写体距離検出情報が前記第１の値であるとき、前記被写体明度情報が前記第１の境界値より大きいときには、ホワイトバランスの調整をし、前記第１の境界値以下のときには、ホワイトバランスの調整をしないように制御し、
前記被写体距離検出情報が前記第２の値であるとき、前記被写体明度情報が前記第２の境界値よりも大きいときには、ホワイトバランスの調整をし、前記第２の境界値以下のときには、ホワイトバランスの調整をしないように制御する
ことを特徴とする撮像装置。
【請求項７】
被写体までの距離を検出する被写体距離検出手段と、
光学系のズーム値を検出するズーム値検出手段と、
被写体の明度を検出する被写体明度検出手段と、
該光学系を介した撮像素子の出力信号から生成された色信号に基づいて被写体像の無彩色部分を検出し、該無彩色部分から検出したホワイトバランスのずれ量に応じて該色信号の利得を制御するホワイトバランス制御手段と
を備え、
ズーム値情報が固定されている場合において、
被写体明度情報が第１の値であるとき、被写体距離検出情報が変化すると、第１の境界値を境にホワイトバランスの調整の有無が切り替わり、かつ、
該被写体明度情報が第１の値とは異なる第２の値であるとき、該被写体距離検出情報が変化すると、該第１の境界値とは異なる該第２の境界値を境に、ホワイトバランスの調整の有無が切り替わる
ことを特徴とする撮像装置。
【請求項８】
請求項７記載の撮像装置において、
前記被写体明度情報が前記第１の値であるとき、前記被写体距離検出情報が前記第１の境界値より大きいときには、ホワイトバランスの調整をし、前記第１の境界値以下のときには、ホワイトバランスの調整をしないように制御し、
前記被写体明度情報が前記第２の値であるとき、前記被写体距離検出情報が前記第２の境界値よりも大きいときには、ホワイトバランスの調整をし、前記第２の境界値以下のときには、ホワイトバランスの調整をしないように制御する
ことを特徴とする撮像装置。
【請求項９】
被写体までの距離を検出する被写体距離検出手段と、
光学系のズーム値を検出するズーム値検出手段と、
被写体の明度を検出する被写体明度検出手段と、
該光学系を介した撮像素子の出力信号から生成された色信号に基づいて被写体像の無彩色部分を検出し、該無彩色部分から検出したホワイトバランスのずれ量に応じて該色信号の利得を制御するホワイトバランス制御手段と
を備え、
被写体明度情報が固定されている場合において、
ズーム値情報が第１の値であるとき、被写体明度情報が変化すると、第１の境界値を境にホワイトバランスの調整の有無が切り替わり、かつ、
該ズーム値情報が第１の値とは異なる第２の値であるとき、該被写体明度情報が変化すると、該第１の境界値とは異なる該第２の境界値を境に、ホワイトバランスの調整の有無が切り替わる
ことを特徴とする撮像装置。
【請求項１０】
請求項９記載の撮像装置において、
前記ズーム値情報が前記第１の値であるとき、前記被写体距離検出情報が前記第１の境界値より大きいときには、ホワイトバランスの調整をし、前記第１の境界値以下のときには、ホワイトバランスの調整をしないように制御し、
前記ズーム値情報が前記第２の値であるとき、前記被写体距離検出情報が前記第２の境界値よりも大きいときには、ホワイトバランスの調整をし、前記第２の境界値以下のときには、ホワイトバランスの調整をしないように制御する
ことを特徴とする撮像装置。